(57)【要約】【課題】特定の変動パターンが表示されたときの遊技者の特定遊技状態発生に対する期待感を変動させて興趣を向上させることのできる遊技機を提供する。【解決手段】ノーマルリーチＡの１回目の実行時においては大当り発生に対する信頼度を２％にし、ノーマルリーチＡの２回目の実行時においては大当り発生に対する信頼度を１５％にし、３回目の実行時で６０％の信頼度、４回目の実行時で１００％の信頼度となるように、信頼度を変動させ、ノーマルリーチＡが実行されたときの遊技者の大当り発生に対する期待感を変動させて興趣を向上させた。【選択図】        図３
2004344552.tif 000002
【特許請求の範囲】
【請求項１】
所定の始動条件の成立に基づいて、各々が識別可能な複数種類の識別情報の変動表示を行い、表示結果を導出表示する変動表示装置と、
前記始動条件の成立に基づいて、前記表示結果をその導出表示前に決定する表示結果事前決定手段と、を備え、
前記表示結果事前決定手段が表示結果を特定表示結果とすることを決定したときに前記変動表示装置に前記特定表示結果を導出表示した後、遊技者に有利な特定遊技状態を発生させる遊技機であって、
前記始動条件の成立に基づいて、前記変動表示装置において前記表示結果を導出表示するために行われる識別情報の変動表示の変動パターンを前記表示結果が導出表示される前に予め定められた複数の変動パターンから選択する変動パターン選択手段と、
該変動パターン選択手段により選択された変動パターンを前記変動表示装置に表示させた後、前記表示結果事前決定手段により決定された表示結果を導出表示させる変動表示制御手段と、
前記変動表示装置により表示させる変動パターンが予め定められた特定変動パターンであるか否かを判定する変動パターン判定手段と、
前記変動パターン判定手段により前記特定変動パターンであることの判定がなされた回数を計数し、該計数された回数が所定回数に達しているか否かの判定を行なう回数判定手段と、
を備え、
前記変動パターン選択手段は、
前記特定変動パターンが選択される選択確率を定める選択確率データを記憶する選択確率データ記憶手段と、
前記表示結果事前決定手段により決定された表示結果が特定表示結果のときに前記選択確率データ記憶手段に記憶されている選択確率データにしたがった確率で前記特定変動パターンを選択する特定表示結果決定時選択手段と、
前記回数判定手段により、前記計数された回数が所定回数に達していると判定されたときには該所定回数に達していないと判定されたときに比べて、前記特定表示結果決定時選択手段が選択する前記選択確率データをより高い確率で前記特定変動パターンが選択されるデータに変更する選択確率データ変更手段と、
を含むことを特徴とする、遊技機。
【請求項２】
所定の始動条件の成立に基づいて、各々が識別可能な複数種類の識別情報の変動表示を行い、表示結果を導出表示する変動表示装置と、
前記始動条件の成立に基づいて、前記表示結果をその導出表示前に決定する表示結果事前決定手段と、を備え、
前記表示結果事前決定手段が表示結果を特定表示結果とすることを決定したときに前記変動表示装置に前記特定表示結果を導出表示した後、遊技者に有利な特定遊技状態を発生させる遊技機であって、
前記始動条件の成立に基づいて、前記変動表示装置において前記表示結果を導出表示するために行われる識別情報の変動表示の変動パターンを前記表示結果が導出表示される前に予め定められた複数の変動パターンから選択する変動パターン選択手段と、
該変動パターン選択手段により選択された変動パターンを前記変動表示装置に表示させた後、前記表示結果事前決定手段により決定された表示結果を導出表示させる変動表示制御手段と、
前記変動表示装置により表示させる変動パターンが予め定められた特定変動パターンであるか否かを判定する変動パターン判定手段と、
前記変動パターン判定手段により前記特定変動パターンであることの判定がなされた回数を計数し、該計数された回数が所定回数に達しているか否かの判定を行なう回数判定手段と、
を備え、
前記変動パターン選択手段は、
前記特定変動パターンが選択される選択確率を定める選択確率データを記憶する選択確率データ記憶手段と、
前記表示結果事前決定手段により決定された表示結果が特定表示結果でないときに前記選択確率データ記憶手段に記憶されている選択確率データにしたがった確率で前記特定変動パターンを選択する非特定表示結果決定時選択手段と、
前記回数判定手段により、前記計数された回数が所定回数に達していると判定されたときには該所定回数に達していないと判定されたときに比べて、前記非特定表示結果決定時選択手段が選択する前記選択確率データをより低い確率で前記特定変動パターンが選択されるデータに変更する選択確率データ変更手段と、
を含むことを特徴とする、遊技機。
【請求項３】
所定の始動条件の成立に基づいて、各々が識別可能な複数種類の識別情報の変動表示を行い、表示結果を導出表示する変動表示装置と、
前記始動条件の成立に基づいて、前記表示結果をその導出表示前に決定する表示結果事前決定手段と、を備え、
前記表示結果事前決定手段が表示結果を特定表示結果とすることを決定したときに前記変動表示装置に前記特定表示結果を導出表示した後、遊技者に有利な特定遊技状態を発生させる遊技機であって、
前記始動条件の成立に基づいて、前記変動表示装置において前記表示結果を導出表示するために行われる識別情報の変動表示の変動パターンを前記表示結果が導出表示される前に予め定められた複数の変動パターンから選択する変動パターン選択手段と、
該変動パターン選択手段により選択された変動パターンを前記変動表示装置に表示させた後、前記表示結果事前決定手段により決定された表示結果を導出表示させる変動表示制御手段と、
前記変動表示装置により表示させる変動パターンが予め定められた特定変動パターンであるか否かを判定する変動パターン判定手段と、
前記変動パターン判定手段により前記特定変動パターンであることの判定がなされた回数を計数し、該計数された回数が所定回数に達しているか否かの判定を行なう回数判定手段と、
を備え、
前記変動パターン選択手段は、
前記特定変動パターンが選択される選択確率を定める選択確率データを記憶する選択確率データ記憶手段と、
前記表示結果事前決定手段により決定された表示結果が特定表示結果のときに前記選択確率データ記憶手段に記憶されている選択確率データにしたがった確率で前記特定変動パターンを選択する特定表示結果決定時選択手段と、
前記表示結果事前決定手段により決定された表示結果が特定表示結果でないときに前記選択確率データ記憶手段に記憶されている選択確率データにしたがった確率で前記特定変動パターンを選択する非特定表示結果決定時選択手段と、
前記回数判定手段により、前記計数された回数が所定回数に達していると判定されたときには該所定回数に達していないと判定されたときに比べて、前記特定表示結果決定時選択手段が選択する前記選択確率データをより高い確率で、前記非特定表示結果決定時選択手段が選択する前記選択確率データをより低い確率で前記特定変動パターンが選択されるデータに変更する選択確率データ変更手段と、
を含むことを特徴とする、遊技機。
【請求項４】
前記変動パターン判定手段は、前記特定変動パターンとは異なる特別変動パターンであるか否かの判定を行う特別変動パターン判定手段を含み、前記特別変動パターン判定手段により前記特別変動パターンである旨の判定がなされたときには、前記特定表示結果決定時選択手段が選択する前記選択確率データを、より低い確率で前記特定変動パターンが選択されるデータに変更する非特定変動パターン時選択確率データ変更手段を含む、請求項１記載の遊技機。
【請求項５】
前記選択確率データ変更手段は、前記変動パターン判定手段は、前記特定変動パターンとは異なる特別変動パターンであるか否かの判定を行う特別変動パターン判定手段を含み、前記特別変動パターン判定手段により前記特別変動パターンである旨の判定がなされたときには、前記非特定表示結果決定時選択手段が選択する前記選択確率データを、より高い確率で前記特定変動パターンが選択されるデータに変更する非特定変動パターン時選択確率データ変更手段を含む、請求項２記載の遊技機。
【請求項６】
前記選択確率データ変更手段は、前記変動パターン判定手段は、前記特定変動パターンとは異なる特別変動パターンであるか否かの判定を行う特別変動パターン判定手段を含み、前記特別変動パターン判定手段により前記特別変動パターンである旨の判定がなされたときには、前記特定表示結果決定時選択手段が選択する前記選択確率データを、より低い確率で前記特定変動パターンが選択されるデータに変更するとともに、現在前記非特定表示結果決定時選択手段が選択する前記選択確率データを、より高い確率で前記特定変動パターンが選択されるデータに変更する、非特定変動パターン時選択確率データ変更手段を含む、請求項３記載の遊技機。
【請求項７】
前記選択確率データ記憶手段は、選択確率データから構成される選択確率データテーブルを複数記憶しており、
前記選択確率データ変更手段は、選択確率データテーブルを変更することにより前記データの変更を行なう、請求項１記載から請求項６のいずれかに記載の遊技機。
【請求項８】
前記選択確率データ変更手段は、変動パターン判定手段により特定変動パターンであることの判定がなされた回数を計数し、該計数された回数が前記所定回数と異なる特定回数に達したときに、変更した前記選択確率データを予め定められた初期値となる選択確率データに復帰させる選択確率データ復帰手段を含む、請求項１から請求項７のいずれかに記載の遊技機。
【請求項９】
前記特定の変動パターンは、それぞれ選択される選択確率が異なる複数種類の特定の変動パターンが定められており、
前記選択確率データは、前記複数種類の特定変動パターンのそれぞれについて選択される確率を特定する選択確率データを含み、
前記変動パターン判定手段は、前記変動パターン事前決定手段により決定された変動パターンが予め定められた特定変動パターンであるか否かを前記複数種類の特定変動パターンごとに判定し、
前記回数判定手段は、前記変動パターン判定手段が前記特定変動パターンであることの判定がなされた回数を計数し、該計数された回数が所定回数に達しているか否かを前記複数種類の特定変動パターンごとに判定し、
前記選択確率データ変更手段は、前記回数判定手段により、前記変動パターン判定手段が前記特定変動パターンであることの判定がなされた回数を計数し、該計数された回数が所定回数に達していると判定されたときには，該所定回数行なっていると判定された特定の変動パターンに応じて選択されるデータの変更を行なうことを特徴とする、請求項１から請求項８のいずれかに記載の遊技機。
【請求項１０】
前記選択確率データ変更手段による選択確率データの変更は、予め決められた所定の期間に限定して行なわれる請求項１から請求項９のいずれかに記載の遊技機。
【請求項１１】
前記選択確率データ変更手段により選択確率データが変更されたときに、その旨を遊技者に報知する請求項１から請求項１０のいずれかに記載の遊技機。
【請求項１２】
前記選択確率データ変更手段により選択確率データが変更されたときに、その変更された特定変動パターンを遊技者に報知する請求項１から請求項１１のいずれかに記載の遊技機。
【発明の詳細な説明】
【０００１】
【発明の属する技術分野】
本発明は、パチンコ遊技機やコイン遊技機あるいはスロットマシンなどで代表される遊技機に関する。詳しくは、所定の始動条件の成立に基づいて、各々が識別可能な複数種類の識別情報の変動表示を行い、表示結果を導出表示する変動表示装置と、始動条件の成立に基づいて、表示結果をその導出表示前に決定する表示結果事前決定手段と、を備え、表示結果事前決定手段が表示結果を特定表示結果とすることを決定したときに変動表示装置に特定表示結果を導出表示した後、遊技者に有利な特定遊技状態を発生させる遊技機に関する。
【０００２】
【従来の技術】
この種の遊技機として従来から一般的に知られているものに、たとえば、パチンコ遊技機のような、各々を識別可能な複数種類の識別情報を変動表示させる複数の変動表示部を有する変動表示装置を備え、該複数の変動表示部の表示結果が予め定められた特定表示結果となったときに遊技者にとって有利となる特定遊技状態に制御されるものがある。
【０００３】
この従来の遊技機では、特別のリーチ状態を含む複数種類のリーチ状態が定められており、可変表示装置が可変開始された後表示結果が導出表示されるまでの間に、それらの複数種類のリーチ状態のいずれかが表示されるリーチ表示制御手段が備えられていた。特別のリーチ状態の表示が所定期間行なわれなかった場合に、その特別のリーチ状態を可変表示装置に表示させる確率を向上させる制御が行なわれるように構成されていた（たとえば、特許文献１参照）。
【０００４】
【特許文献１】
特開平９−３８２９２号公報
【０００５】
【発明が解決しようとする課題】
つまり、この従来の遊技機においては、特別のリーチ状態等の特定の変動パターンが可変表示装置に表示されない状態が所定期間続いたときには、ただ単にその特定の変動パターン（特別のリーチ状態等）が表示される確率を向上させる制御を行なうのみであったために、その特定の変動パターン（特別のリーチ状態等）が表示された後特定遊技状態（大当り状態）がどの程度発生するかという特定の変動パターン（特別のリーチ状態等）の表示に対する遊技者の信頼度が何ら向上することがなく、遊技者の興趣をそれほど向上させることのできないと言う欠点があった。
【０００６】
本発明は、かかる実情に鑑み考え出されたものであり、その目的は、特定の変動パターンが表示されたときの遊技者の特定遊技状態発生に対する期待感を変動させて興趣を向上させることのできる遊技機を提供することである。
【０００７】
【課題を解決するための手段の具体例およびその効果】
（１）  所定の始動条件の成立（始動口１４への玉の入賞）に基づいて、各々が識別可能な複数種類の識別情報（図柄）の変動表示を行い、表示結果を導出表示する変動表示装置（可変表示装置８）と、前記始動条件の成立に基づいて、前記表示結果をその導出表示前に決定する表示結果事前決定手段（当りはずれ決定用ランダムカウンタの抽出値により当りはずれを決めてそれに基づいて図柄カウンタの抽出値により予定停止図柄を決める基本回路５３）と、を備え、前記表示結果事前決定手段が表示結果を特定表示結果（ゾロ目）とすることを決定したときに前記変動表示装置に前記特定表示結果を導出表示した後、遊技者に有利な特定遊技状態（大当り状態）を発生させる遊技機（パチンコ遊技機、コイン遊技機、スロットマシン）であって、前記始動条件の成立に基づいて、前記変動表示装置において前記表示結果を導出表示するために行われる識別情報の変動表示の変動パターン（リーチの種類等）を前記表示結果が導出表示される前に予め定められた複数の変動パターン（ノーマルリーチＡ〜ノーマルリーチＣ，リーチＡ〜リーチＢ）から選択する変動パターン選択手段（Ｓ１１２、Ｓ１１４）と、該変動パターン選択手段により選択された変動パターンを前記変動表示装置に表示させた後、前記表示結果事前決定手段により決定された表示結果を導出表示させる変動表示制御手段（表示制御基板８０）と、前記変動表示装置により表示させる変動パターンが予め定められた特定変動パターン（ノーマルリーチＡ、ノーマルリーチＢ等）であるか否かを判定する変動パターン判定手段（Ｓ４０２、Ｓ４０６）と、  前記変動パターン判定手段が前記特定変動パターンであることの判定がなされた回数を計数し、該計数された回数が所定回数に達しているか否かの判定を行なう回数判定手段（Ｓ４０２ａ、Ｓ４０６ａ）と、を備え、前記変動パターン選択手段は、前記特定変動パターンが選択される選択確率を定める選択確率データ（図４（ｂ）、図５（ａ）〜（ｃ）、図６（ａ）〜（ｂ））記憶する選択確率データ記憶手段（変動パターンテーブルを記憶しているＲＯＭ５４）と、前記表示結果事前決定手段により決定された表示結果が特定表示結果のときに前記選択確率データ記憶手段に記憶されている選択確率データにしたがった確率で前記特定変動パターンを選択する特定表示結果決定時選択手段（Ｓ２００〜Ｓ２０３）と、前記回数判定手段により、前記変動パターン判定手段により前記特定変動パターンであることの判定を所定回数（２回）行なっていると判定されたときには該所定回数に達していないと判定されたときに比べて、前記特定表示結果決定時選択手段が選択する前記選択確率データをより高い確率で前記特定変動パターンが選択されるデータ（図６（ａ））に変更する選択確率データ変更手段（Ｓ２００）と、を含むことを特徴とする。
【０００８】
このような構成によれば、特定変動パターンであることの判定がなされた回数を計数し、該計数された回数が所定回数に達しているときには該所定回数に達していないときに比べて、特定表示結果決定時選択手段が特定遊技状態時に選択する前記選択確率データをより高い確率で前記特定変動パターンが選択されるデータに変更されてその特定変動パターンが表示された後に特定表示結果が表示される期待度が向上するので、その結果、特定の変動パターンが出現したときの遊技者の特定遊技状態発生への期待感を向上させることができ、遊技に対する興趣を向上させることができる。
【０００９】
（２）  所定の始動条件の成立（始動口１４への玉の入賞）に基づいて、各々が識別可能な複数種類の識別情報（図柄）の変動表示を行い、表示結果を導出表示する変動表示装置（可変表示装置８）と、前記始動条件の成立に基づいて、前記表示結果をその導出表示前に決定する表示結果事前決定手段（当りはずれ決定用ランダムカウンタの抽出値により当りはずれを決めてそれに基づいて図柄カウンタの抽出値により予定停止図柄を決める基本回路５３）と、を備え、前記表示結果事前決定手段が表示結果を特定表示結果（ゾロ目）とすることを決定したときに前記変動表示装置に前記特定表示結果を導出表示した後、遊技者に有利な特定遊技状態（大当り状態）を発生させる遊技機（パチンコ遊技機、コイン遊技機、スロットマシン）であって、前記始動条件の成立に基づいて、前記変動表示装置において前記表示結果を導出表示するために行われる識別情報の変動表示の変動パターン（リーチの種類等）を前記表示結果が導出表示される前に予め定められた複数の変動パターン（ノーマルリーチＡ〜ノーマルリーチＣ、リーチＡ〜リーチＢ）から選択する変動パターン選択手段（Ｓ１１２、Ｓ１１４）と、該変動パターン選択手段により選択された変動パターンを前記変動表示装置に表示させた後、前記表示結果事前決定手段により決定された表示結果を導出表示させる変動表示制御手段（表示制御基板８０）と、前記変動表示装置により表示させる変動パターンが予め定められた特定変動パターン（ノーマルリーチＡ、ノーマルリーチＢ等）であるか否かを判定する変動パターン判定手段（Ｓ４０２、Ｓ４０６）と、前記変動パターン判定手段により前記特定変動パターンであることの判定がなされた回数を計数し、該計数された回数が所定回数に達しているか否かの判定を行なう回数判定手段（Ｓ４０２ａ、Ｓ４０６ａ）と、を備え、前記変動パターン選択手段は、前記特定変動パターンが選択される選択確率を定める選択確率データ（図４（ｂ）、図５（ａ）〜（ｃ）、図６（ａ）〜（ｂ））記憶する選択確率データ記憶手段（変動パターンテーブルを記憶しているＲＯＭ５４）と、前記表示結果事前決定手段により決定された表示結果が特定表示結果でないときに前記選択確率データ記憶手段に記憶されている選択確率データにしたがった確率で前記特定変動パターンを選択する非特定表示結果決定時選択手段（Ｓ３００〜Ｓ３０３）と、前記回数判定手段により、前記変動パターン判定手段が前記特定変動パターンであることの判定を所定回数（２回）行なっていると判定されたときには該所定回数に達していないと判定されたときに比べて、前記非特定表示結果決定時選択手段が選択する前記選択確率データをより低い確率で前記特定変動パターンが選択されるデータ（図６（ｂ））に変更する選択確率データ変更手段（Ｓ３００）と、を含むことを特徴とする。
【００１０】
このような構成によれば、特定変動パターンであることの判定がなされた回数を計数し、該計数された回数が所定回数に達しているときには該所定回数に達していないときに比べて、非特定表示結果決定時選択手段が選択する前記選択確率データをより低い確率で前記特定変動パターンが選択されるデータに変更されその特定変動パターンが表示された後に特定表示結果が表示される期待度が向上するので、その結果、特定の変動パターンが出現したときの遊技者の特定遊技状態発生への期待感を向上させることができ、遊技に対する興趣を向上させることができる。
【００１１】
（３）  所定の始動条件の成立（始動口１４への玉の入賞）に基づいて、各々が識別可能な複数種類の識別情報（図柄）の変動表示を行い、表示結果を導出表示する変動表示装置（可変表示装置８）と、前記始動条件の成立に基づいて、前記表示結果をその導出表示前に決定する表示結果事前決定手段（当りはずれ決定用ランダムカウンタの抽出値により当りはずれを決めてそれに基づいて図柄カウンタの抽出値により予定停止図柄を決める基本回路５３）と、を備え、前記表示結果事前決定手段が表示結果を特定表示結果（ゾロ目）とすることを決定したときに前記変動表示装置に前記特定表示結果を導出表示した後、遊技者に有利な特定遊技状態（大当り状態）を発生させる遊技機（パチンコ遊技機、コイン遊技機、スロットマシン）であって、前記始動条件の成立に基づいて、前記変動表示装置において前記表示結果を導出表示するために行われる識別情報の変動表示の変動パターン（リーチの種類等）を前記表示結果が導出表示される前に予め定められた複数の変動パターン（ノーマルリーチＡ〜ノーマルリーチＣ、リーチＡ〜リーチＢ）から選択する変動パターン選択手段（Ｓ１１２、Ｓ１１４）と、該変動パターン選択手段により選択された変動パターンを前記変動表示装置に表示させた後、前記表示結果事前決定手段により決定された表示結果を導出表示させる変動表示制御手段（表示制御基板８０）と、前記変動表示装置により表示させる変動パターンが予め定められた特定変動パターン（ノーマルリーチＡ、ノーマルリーチＢ等）であるか否かを判定する変動パターン判定手段（Ｓ４０２、Ｓ４０６）と、前記変動パターン判定手段により前記特定変動パターンであることの判定がなされた回数を計数し、該計数された回数が所定回数に達しているか否かの判定を行なう回数判定手段（Ｓ４０２ａ、Ｓ４０６ａ）と、を備え、前記変動パターン選択手段は、前記特定変動パターンが選択される選択確率を定める選択確率データ（図４（ｂ）、図５（ａ）〜（ｃ）、図６（ａ）〜（ｂ））記憶する選択確率データ記憶手段（変動パターンテーブルを記憶しているＲＯＭ５４）と、前記表示結果事前決定手段により決定された表示結果が特定表示結果のときに前記選択確率データ記憶手段に記憶されている選択確率データにしたがった確率で前記特定変動パターンを選択する特定表示結果決定時選択手段（Ｓ２００〜Ｓ２０３）と、、前記表示結果事前決定手段により決定された表示結果が特定表示結果でないときに前記選択確率データ記憶手段に記憶されている選択確率データにしたがった確率で前記特定変動パターンを選択する非特定表示結果決定時選択手段（Ｓ３００〜Ｓ３０３）と、前記回数判定手段により、前記変動パターン判定手段が前記特定変動パターンであることの判定を所定回数（２回）行なっていると判定されたときには該所定回数に達していないと判定されたときに比べて、前記特定表示結果決定時選択手段が選択する前記選択確率データをより高い確率で、前記非特定表示結果決定時選択手段が選択する前記選択確率データをより低い確率で前記特定変動パターンが選択されるデータ（図５（ｂ））に変更する選択確率データ変更手段（Ｓ２００、Ｓ３００）と、を含むことを特徴とする。
【００１２】
このような構成によれば、特定変動パターンであることの判定がなされた回数を計数し、該計数された回数が所定回数に達しているときには該所定回数に達していないときに比べて、特定表示結果決定時選択手段が特定遊技状態時に選択する前記選択確率データをより高い確率で、非特定表示結果決定時選択手段が選択する前記選択確率データをより低い確率で前記特定変動パターンが選択されるデータに変更され、その特定変動パターンが表示された後に特定表示結果が表示される期待度が向上するので、その結果、特定の変動パターンが出現したときの遊技者の特定遊技状態発生への期待感を向上させることができ、遊技に対する興趣を向上させることができる。
【００１３】
（４）  前記変動パターン判定手段が前記特定変動パターンでないことの判定を行なったときには（Ｓ４１０によりＹＥＳの判断がなされたときには）、現在前記特定表示結果決定時選択手段が選択する前記選択確率データを、より低い確率で前記特定変動パターンが選択されるデータに変更する非特定変動パターン時選択確率データ変更手段（Ｓ２００、Ｓ４１１）を含む。
【００１４】
このような構成によれば、特定変動パターン以外の変動パターンなったときに、現在前記特定表示結果決定時選択手段が選択する前記選択確率データを、より低い確率で前記特定変動パターンが選択されるデータに変更させるので、特定の変動パターンの信頼度が向上したり低下したりして変化に富んだものとなり、遊技者がどの変動パターンが表示されるかについて興味持つ状態となり、変化性のある遊技により興趣を向上をさせることができる。
【００１５】
（５）  前記選択確率データ変更手段は、前記変動パターン判定手段が前記特定変動パターンでないことの判定を行なったときには（Ｓ４１０によりＹＥＳの判断がなされたときには）、現在前記非特定表示結果決定時選択手段が選択する前記選択確率データを、より高い確率で前記特定変動パターンが選択されるデータに変更する非特定変動パターン時選択確率データ変更手段（Ｓ３００、Ｓ４１１）を備えたものである。
【００１６】
このような構成によれば、特定変動パターン以外の変動パターンなったときに、現在前記非特定表示結果決定時選択手段が選択する前記選択確率データを、より高い確率で前記特定変動パターンが選択されるデータに変更させるので、特定の変動パターンの信頼度が向上したり低下したりして変化に富んだものとなり、遊技者がどの変動パターンが表示されるかについて興味持つ状態となり、変化性のある遊技により興趣を向上をさせることができる。
【００１７】
（６）  前記選択確率データ変更手段は、前記変動パターン判定手段が前記特定変動パターンでないことの判定を行なったときには（Ｓ４１０によりＹＥＳの判断がなされたときには）、現在前記特定表示結果決定時選択手段が選択する前記選択確率データを、より低い確率で前記特定変動パターンが選択されるデータに変更するとともに、現在前記非特定表示結果決定時選択手段が選択する前記選択確率データを、より高い確率で前記特定変動パターンが選択されるデータに変更する非特定変動パターン時選択確率データ変更手段（Ｓ２００、Ｓ３００、Ｓ４１１）を備えたものである。
【００１８】
このような構成によれば、特定変動パターン以外の変動パターンなったときに、現在前記特定表示結果決定時選択手段が選択する前記選択確率データを、より低い確率で前記特定変動パターンが選択されるデータに変更するとともに、現在前記非特定表示結果決定時選択手段が選択する前記選択確率データを、より高い確率で前記特定変動パターンが選択されるデータに変更するさせるので、特定の変動パターンの信頼度が向上したり低下したりして変化に富んだものとなり、遊技者がどの変動パターンが表示されるかについて興味持つ状態となり、変化性のある遊技により興趣を向上をさせることができる。
【００１９】
（７）  前記選択確率データ記憶手段は、選択確率データから構成される選択確率データテーブル（図４（ｂ），図５，図６）を複数記憶しており、前記選択確率データ変更手段は、選択確率データテーブルを変更することにより前記データの変更を行なう。
【００２０】
このような構成によれば、特定変動パターンが選択される選択確率を容易に制定、変更することができる。
【００２１】
（８）  選択確率データ変更手段は、変動パターン判定手段により特定変動パターンであることが予め定められた回数（４回）判定されたときに（Ｓ４０４またはＳ４０８によりＹＥＳの判断がなされ）、変更した前記選択確率データを予め定められた初期値となる選択確率データ（０−０の変動パターンテーブルの選択確率データ）に復帰させる選択確率データ復帰手段（Ｓ４０５、Ｓ４０９）を含むものである。
【００２２】
このような構成によれば、特定変動パターンの変動パターンが予め定められた回数行なれたときに、変更された前記選択確率データを予め定められた初期値となる選択確率データに復帰させるので、極端に選択確率が変化してしまうことを抑制することができる。
【００２３】
（９）  前記特定の変動パターンは、それぞれ選択される選択確率が異なる複数種類（２種類）の特定の変動パターンが定められており、前記選択確率データは、前記複数種類の特定変動パターンのそれぞれについて選択される確率を特定する選択確率データを含み（変動パターンテーブルはノーマルリーチＡとノーマルリーチＢそれぞれについて選択される確率を特定する領域数値データを記憶しており：図５、図６）、前記変動パターン判定手段は、前記変動パターン事前決定手段により決定された変動パターンが予め定められた特定変動パターンであるか否かを前記複数種類の特定変動パターンごとに判定し（Ｓ４０２、Ｓ４０６によりノーマルリーチＡとノーマルリーチＢそれぞれについて判定し）、前記回数判定手段は、前記変動パターン判定手段が前記特定変動パターンであることの判定がなされた回数を計数し、該計数された回数が所定回数に達しているか否かを前記複数種類の特定変動パターンごとに判定し、前記選択確率データ変更手段は、前記回数判定手段により、前記変動パターン判定手段が前記特定変動パターンであることの判定を所定回数行なっていると判定されたときには，該所定回数行なっていると判定された特定の変動パターンに応じて選択されるデータの変更を行なう（ノーマルリーチＡがＳ４０３〜Ｓ４０５で行なわれ、ノーマルリーチＢがＳ４０７〜Ｓ４０９で行なわれる、図４（ａ））ものである。
【００２４】
このような構成によれば、選択される確率が異なる複数種類の特定変動パターンを有し、それぞれの特定変動パターンについて特定遊技状態になる信頼度が異ならせることにより、遊技者はそれぞれの特定変動パターンに対して興味を抱き、遊技に対する興趣を向上させることができる。
【００２５】
（１０）  選択確率データ変更手段による選択確率データの変更は、予め決められた所定の期間（確変時や時短時）に限定して行なわれるものである（Ｓ４００）。
【００２６】
このような構成によれば、選択確率データの変更が予め決められた所定の期間に限定して行なわれることにより、遊技者は所定の期間に特定変動パターンになるか否かを集中して遊技を行なうので、メリハリのある遊技を遊技者に提供することができ、遊技に対する意欲を維持でき、遊技に対する興趣を向上させることができる。
【００２７】
（１１）  選択確率データ変更手段によりが選択確率データが変更されたときに、その旨を遊技者に報知するものである（Ｓ４１２〜Ｓ４１６）。
【００２８】
このような構成によれば、選択確率データが変更されたときに、その旨を遊技者に報知されるので、遊技者は選択確率データが変更されたことを知ることができるとともに、報知されることにより遊技者は特定変動パターンの変更に対して興味を抱き、遊技に対する興趣を向上させることができる。
【００２９】
（１２）  選択確率データ変更手段により選択確率データが変更されたときに、その変更された特定変動パターンを遊技者に報知するものである（Ｓ４１２〜Ｓ４１６）。
【００３０】
このような構成によれば、選択確率データが変更されたときに、特定変動パターンが遊技者に報知されるので、遊技者はどの選択確率データに変更されたか知ることができるとともに、報知されることにより遊技者は特定変動パターンに対して興味を抱き、遊技に対する興趣を向上させることができる。
【００３１】
【発明の実施の形態】
以下に、本発明の実施の形態を図面に基づいて詳細に説明する。なお、以下の実施の形態においては、遊技機の一例としてパチンコ遊技機を示すが、本発明はこれに限らず、たとえばコイン遊技機やスロットマシンなどであってもよく、所定の始動条件の成立に基づいて、各々が識別可能な複数種類の識別情報の変動表示を行い、表示結果を導出表示する変動表示装置と、前記始動条件の成立に基づいて、前記表示結果をその導出表示前に決定する表示結果事前決定手段と、を備え、前記表示結果事前決定手段が表示結果を特定表示結果とすることを決定したときに前記変動表示装置に前記特定表示結果を導出表示した後、遊技者に有利な特定遊技状態を発生させる遊技機であればすべてに適用することが可能である。
【００３２】
図１は、本発明に係る遊技機の一例のパチンコ遊技機の遊技盤面の構成を示す正面図である。
【００３３】
パチンコ遊技機に隣接して設けられているカードユニット５０（図２参照）に遊技者が遊技用のプリペイドカードを挿入して玉貸し操作をすれば、貸玉が図示しない打球供給皿（上皿）に貸出されている。図示しない打球操作ハンドル（操作ノブ）を遊技者が操作することにより、打球供給皿（上皿）に貸出されているパチンコ玉が１発づつ遊技領域に向けて発射される。遊技領域７の中央には、各々が識別可能な複数種類の識別情報の一例となる特別図柄を可変表示（以下、変動表示ともいう）させる変動表示装置としての可変表示装置８が設けられている。
【００３４】
この可変表示装置８には、液晶表示器よりなる特別図柄表示部９、普通図柄表示器１０、始動記憶表示器１８および通過記憶表示器１３が設けられている。さらに、可変表示装置８の下方には、始動口（始動入賞口）１４が構成された始動用電動役物１５と、開閉板２０の傾動により打玉の入賞可能な開成状態となる可変入賞球装置１９とが設けられている。始動用電動役物１５には、可動片が左右に設けられている。また、一般入賞口として、可変表示装置８の上部や、可変表示装置８の左右下方、遊技領域７の下方左右に入賞口２４がそれぞれ設けられている。また、打玉が進入可能な通過口１１が可変表示装置８の下方左右に設けられている。また、２６は、打込まれた打玉がいずれの入賞口２４や可変入賞球装置１９にも入賞しなかったときにアウト玉として回収するアウト口であり、２５は、装飾ランプである。
【００３５】
遊技領域７の外周には枠ランプ（図２の遊技効果ＬＥＤ２８ａ）と、賞球の払出し時に点灯する賞球ランプ５１（図２参照）と、玉切れ中に点灯する玉切れランプ５２（図２参照）とが設けられており、遊技領域７には遊技効果ランプ２８ｂ，２８ｃ（図２参照）が設けられており、遊技領域７の上部の左右にはステレオ音の音声などの効果音を発生するためのスピーカ２７，２７（図２参照）が設けられている。
【００３６】
なお、特別図柄表示部９は、液晶表示器に限らず、ＣＲＴ（Ｃａｔｈｏｄｅ  Ｒａｙ  Ｔｕｂｅ）、ＦＥＤ（Ｆｉｅｌｄ  Ｅｍｉｓｓｉｏｎ  Ｄｉｓｐｌａｙ）、ＰＤＰ（Ｐｌａｓｍａ  Ｄｉｓｐｌａｙ  Ｐａｎｅｌ）、ドットマトリクス等その他の画像表示式の表示装置により構成されてもよい。
【００３７】
通過口１１に進入した打玉は、ゲートスイッチ１２で検出される。打玉がゲートスイッチ１２で検出されると、通過記憶表示器１３に表示されている記憶数が上限に達していなければ、所定の乱数値が抽出される。そして、普通図柄表示器１０の可変表示を開始させることができる状態であれば、普通図柄表示器１０の可変表示が開始される。なお、普通図柄表示器１０が可変表示している最中にさらに打玉が通過口に進入し、ゲートスイッチ１２で検出されたときには、普通図柄表示器１０の可変表示を開始させることができない状態であるので、「４」を記憶数の上限として通過玉（乱数値等）が所定の記憶装置に記憶され、その記憶数が通過記憶表示器１３においてＬＥＤの点灯数により表示される。そして、普通図柄表示器１０の可変表示が開始される毎に、点灯しているＬＥＤの数を１つ減らす。
【００３８】
普通図柄表示器１０は、数字等の複数種類の識別情報（普通識別情報）としての普通図柄を可変表示する。そして、その可変表示の表示結果が予め定められた特定の識別情報（たとえば「７」）となった場合は「当り」となり、ソレノイド１６が励磁されることによって始動口１４を構成している始動用電動役物１５に設けられた左右の１対の可動片が１回開成する。これにより始動用電動役物１５が開成状態となって打玉がより始動入賞しやすくなる。始動用電動役物１５が開成状態にある際に打玉が１つ始動入賞すれば、可動片が元の位置まで閉成して打玉が始動入賞しにくい状態に戻る。また、始動用電動役物１５が開成状態となってから所定の開放期間が経過すれば、始動入賞が発生しなくとも可動片が元の位置まで閉成して開成状態は終了する。
【００３９】
なお、特別図柄表示部９および普通図柄表示器１０により可変表示される識別情報は、数字、文字、図形、模様、キャラクタ等の識別情報であれば、どのような識別情報であってもよく、数字のみ、文字のみ、図形のみ、模様のみ、キャラクタのみ、または、これらを適宜組合せたもの等であってもよい。
【００４０】
始動口１４に入賞（始動入賞という）した始動入賞玉は、遊技盤６に設けられた始動口スイッチ１７（図２参照）により検出される。始動入賞玉が始動口スイッチ１７で検出されると５個の賞球が払出されるとともに、始動記憶表示器に表示されている記憶数が上限に達していなければ、所定の乱数値が抽出される。
【００４１】
特別図柄表示部９の可変表示を開始させることができる状態であれば、特別図柄可変表示部９において特別図柄が可変表示を開始させる。なお、特別図柄表示部９が可変表示している最中にさらに打玉が始動口１４に入賞し、始動口スイッチ１７で検出されたときは、特別図柄表示部９の可変表示を開始させることができない状態であるので、「４」を記憶数の上限として始動入賞玉（乱数値等）が所定の記憶装置に記憶されて、その記憶数が始動記憶表示器１８においてＬＥＤの点灯数により表示される。そして、可変表示装置が可変開始される毎に、点灯しているＬＥＤの数を１つ減らす。
【００４２】
可変表示装置８の特別図柄表示部９には、左可変表示部、中可変表示部および右可変表示部の３つの可変表示部が設けられている。
【００４３】
打玉が始動口１４に入賞（始動入賞）したことを条件として、３つの可変表示部において特別図柄の可変表示が一斉に開始される。可変表示（更新表示、変動表示ともいう）は、各可変表示部において上から下へ特別図柄をスクロールさせることによって行なわれる。所定時間が経過すると、まず、左可変表示部の特別図柄が停止表示される。さらに所定時間が経過すると、次に、右可変表示部の特別図柄が停止表示される。さらに所定時間が経過すると、最後に中可変表示部の特別図柄が停止表示される。この実施の形態では、各可変表示部において表示される特別図柄は、０〜９の１０種類の数字である。
【００４４】
３つの可変表示部の表示結果が予め定められた特定表示結果（たとえば、「３３３」等のゾロ目。以下大当り図柄ともいう。）となると、「大当り」となり、遊技状態が特定遊技状態（大当たり状態）に移行する。特定遊技状態では、可変入賞球装置１９の開閉板２０が開成して大入賞口が開口する。これにより、打玉を大入賞口に入賞させることが可能な遊技者にとって有利な第１の状態に制御される。開閉板２０はソレノイド２１によって駆動される。
【００４５】
可変入賞球装置１９の大入賞口内部には、可変入賞球装置１９に入賞した打玉を検出するカウントスイッチ２３が設けられている。また、大入賞口内は、特定入賞領域と通常入賞領域とに区分されており、特定入賞領域には、Ｖ入賞を検出するＶカウントスイッチ２２が設けられている。特定入賞領域に入賞した入賞玉はＶカウントスイッチ２２により検出された後、カウントスイッチ２３により検出される。一方、通常入賞領域に入賞した通常入賞玉は大入賞口内においてはカウントスイッチ２３のみにより検出される。可変入賞球装置１９に入賞した入賞玉がカウントスイッチ２３により検出される毎に１５個の賞球が払出される。
【００４６】
パチンコ遊技機１の背面側には、各入賞口および可変入賞球装置に入賞した入賞玉を所定の入賞経路に沿って導く入賞玉集合カバー（図示省略）が設けられており、この入賞玉集合カバーにより導かれた入賞玉は、入賞玉を１個宛処理する入賞玉処理装置（図示省略）に供給される。入賞玉処理装置には入賞球検出スイッチ（図示省略）が設けられており、これにより、入賞玉処理装置による景品玉の払出しの対象となる入賞玉が検出される。
【００４７】
可変入賞球装置１９の第１の状態は、大入賞口に進入した打玉の数が所定個数（たとえば１０個）に達したとき、または所定期間（たとえば３０秒間）経過したときのうちのいずれか早い方の条件が成立したときに一旦終了して開閉板２０が閉成する。これにより、可変入賞球装置１９は、打玉を入賞させることが不可能な遊技者にとって不利な第２の状態に制御される。そして、可変入賞球装置１９が第１の状態となっている期間中に進入した打玉が特定入賞領域に特定入賞し、Ｖカウントスイッチ２２により検出されたことを条件として、その回における可変入賞球装置１９の第１の状態が終了して第２の状態となった後、再度開閉板２０が開成されて、可変入賞球装置１９を第１の状態にする繰返し継続制御が実行される。この繰返し継続制御の実行上限回数は、たとえば１６回と定められている。繰返し継続制御において、可変入賞球装置１９が第１の状態にされている状態はラウンドと呼ばれる。繰返し継続制御の実行上限回数が１６回のときには、第１ラウンドから第１６ラウンドまでの１６ラウンド分、可変入賞球装置１９が第１の状態にされ得る。
【００４８】
３つの可変表示部の表示結果が特別の識別情報の組合せ（たとえば、「７７７」の奇数のゾロ目。以下確変大当り図柄ともいう。）となると、「確変大当り」となり、次に大当りとなる確率が通常遊技状態より高くなる。すなわち、遊技者にとってさらに有利な確率変動状態（特別遊技状態）となる。なお、通常遊技状態とは、特定遊技状態および確率変動状態以外の遊技状態のことをいう。この確率変動状態のとき（確変時）に、別図柄表示部９と普通図柄表示器１０のいずれか一方または両方の可変表示時間（変動表示時間）を短くして早期に表示結果を導出表示する時短制御を合わせて行なってもよい。
【００４９】
３つの可変表示部の表示結果が大当り図柄でも、確変大当り図柄でもない場合は、「はずれ」となり、遊技状態は変化せずに通常状態のままとなる。
【００５０】
また、各可変表示部の可変表示中においては、リーチ状態（リーチ態様、リーチ表示態様ともいう）が発生する場合がある。
【００５１】
ここで、リーチ状態とは、停止した図柄（リーチ図柄という）が大当り図柄の一部を構成しているとき、まだ停止していない図柄（リーチ変動図柄という）について変動表示が行われていること、全てまたは一部の図柄が大当り図柄の全てまたは一部を構成しながら同期して変動表示している状態である。
【００５２】
具体的には、予め定められた複数の表示領域に、予め定められた図柄が停止することで大当りとなる有効ラインが定められ、その有効ライン上の一部の表示領域に予め定められた図柄が停止しているときに未だ停止していない有効ライン上の表示領域において変動表示が行われている状態（たとえば左、中、右の表示領域のうち、左、中の表示領域には大当り図柄の一部となる（たとえば「７」）が停止表示されている状態で右の表示領域はまだ変動表示が行われている状態）、有効ライン上の表示領域の全てまたは一部の図柄が大当り図柄の全部または一部の全てを構成しながら同期して変動表示している状態（たとえば、左、中、右の表示領域の全てに変動表示が行われて、どの状態が表示されても同一の図柄が揃っている状態で変動表示が行われている状態）である。
【００５３】
また、リーチ状態の際に、通常と異なる演出がランプや音で行われることがある。この演出をリーチ演出という。
【００５４】
また、リーチ演出の際に、キャラクター（人物等を模した演出表示であり、図柄とは異なるもの）を表示させたり、背景の表示態様を変化させたりすることがある。このキャラクターの表示や背景を表示態様の変化をリーチ演出表示という。
【００５５】
さらなるリーチ状態の定義を記載すると、リーチ状態とは、各々が識別可能な複数種類の識別情報が可変表示される可変表示部を備えた可変表示装置を有し、表示画面において前記複数種類の識別情報を可変開始させた後、時期を異ならせて複数の表示結果を導出表示し、予め定められた特定表示結果となったときに、遊技状態が遊技者にとって有利な特定遊技状態となる遊技機において、複数の表示結果の一部がまだ導出表示されていない段階で、既に導出表示されている表示結果が特定の組合せとなる条件を満たしている表示状態をいう。
【００５６】
また、別の表現をすれば、リーチ状態とは、表示状態が変化可能な可変表示部を複数有する可変表示装置における識別情報の表示結果が予め定められた特定表示結果となった場合に、遊技状態が遊技者にとって有利な特定遊技状態となる遊技機において、前記可変表示装置の表示結果がまだ導出表示されていない段階で、前記特定表示結果が表示されやすい可変表示態様となったと遊技者に思わせるための表示状態をいう。さらにリーチの中には、それが出現すると、通常のリーチ状態に比べて、大当りが発生しやすいものがある。このような特定のリーチ状態をスーパーリーチという。
【００５７】
また、リーチ状態とは、可変表示装置が可変開始された後表示制御が進行して表示結果が導出表示される前段階にまで達した時点でも、前記特定表示結果となる表示条件から外れていない表示態様をもいう。
【００５８】
また、リーチ状態とは、可変表示装置の表示制御が進行して表示結果が導出表示される前段階にまで達した時点での表示状態であって、前記表示結果が導出表示される以前に決定されている複数の可変表示部の表示結果の少なくとも一部が前記特定表示結果となる条件を満たしている場合の表示状態をもいう。
【００５９】
また、リーチ状態とは、複数の可変表示部における一部の可変表示部において表示結果がまだ導出表示されていない段階で、既に導出表示されている可変表示部の表示結果が特定表示結果となる条件を満たしている表示状態をもいう。
【００６０】
図２は、遊技制御基板３１における回路構成の一例を示すブロック図である。図２には、制御基板として、遊技制御基板（主基板ともいう）３１、賞球基板（払出制御基板）３７、音声制御基板７０、ランプ制御基板３５および表示制御基板８０が示されている。
【００６１】
賞球基板（払出制御基板）３７、音声制御基板７０、ランプ制御基板３５にはマイクロコンピュータ等が搭載されており、表示制御基板８０には、表示制御用マイクロコンピュータ８１等が搭載されている。各基板には、たとえば、ＣＰＵやＩ／Ｏポートが設けられている。
【００６２】
賞球基板（払出制御基板）３７には、球払出装置９７およびカードユニット５０が接続される。音声制御基板７０には、スピーカ２７が接続される。ランプ制御基板３５には、遊技効果ＬＥＤ２８ａ、賞球ランプ５１、玉切れランプ５２、遊技効果ランプ２８ｂ，２８ｃおよび通過記憶表示器１３が接続される。表示制御基板８０には、普通図柄表示器１０および特別図柄表示部９が接続される。
【００６３】
遊技制御基板３１には、遊技制御用のプログラムに従ってパチンコ遊技機１を制御する遊技制御用マイクロコンピュータ５３と、スイッチ回路５８と、ソレノイド回路５９と、ランプ・ＬＥＤ回路６０と、情報出力回路６４と、初期リセット回路６５と、アドレスデコード回路６７とが設けられている。
【００６４】
遊技制御用マイクロコンピュータ５３は、遊技制御用のプログラム等を記憶するＲＯＭ５４、ワークメモリとして使用されるＲＡＭ５５、遊技制御用のプログラムに従って制御動作を行なうＣＰＵ５６、Ｉ／Ｏポート５７を含む。遊技制御用マイクロコンピュータ５３は、タイマ割込みにしたがって、ＲＯＭ５４に記憶されている遊技用制御プログラムを定期的（たとえば２ｍｓｅｃ毎）に先頭から繰返し実行する。
【００６５】
スイッチ回路５８は、各種スイッチからの信号を遊技制御用マイクロコンピュータ５３に与える回路である。スイッチ回路５８には、ゲートスイッチ１２、始動口スイッチ１７、Ｖカウントスイッチ２２、カウントスイッチ２３、および入賞球検出スイッチ９９等が接続される。
【００６６】
ソレノイド回路５９は、始動用電動役物１５の左右に設けられた可動片を動作させるソレノイド１６および可変入賞球装置１９の開閉板２０を開閉するソレノイド２１を遊技制御用マイクロコンピュータ５３からの指令に従って駆動する回路である。
【００６７】
ランプ・ＬＥＤ回路６０は、始動記憶表示器１８、および装飾ランプ２５の点灯および滅灯を制御する回路である。
【００６８】
情報出力回路６４は、遊技制御用マイクロコンピュータ５３から与えられるデータに従って、確変大当りが発生し確率変動状態となっていることを示す確変情報、大当りが発生し特定遊技状態となっていることを示す大当り情報、および始動入賞のうち特別図柄表示部９の可変表示に有効に使用される始動入賞の発生を示す始動入賞情報等をホール管理コンピュータ等のホストコンピュータに対して出力する回路である。
【００６９】
初期リセット回路６５は、電源投入時に遊技制御用マイクロコンピュータ５３をリセットする回路である。遊技制御用マイクロコンピュータ５３は、初期リセット回路６５から送られてきた初期リセットパルスに応答してパチンコ遊技機１を初期化する。
【００７０】
アドレスデコード回路６７は、遊技制御用マイクロコンピュータ５３から与えられるアドレス信号をデコードしてＩ／Ｏポート５７のうちのいずれかのポートを選択するための信号を出力する回路である。
【００７１】
遊技制御用マイクロコンピュータ５３から賞球基板３７に搭載されたマイクロコンピュータ、音声制御基板７０に搭載されたマイクロコンピュータ、ランプ制御基板３５に搭載されたマイクロコンピュータおよび表示制御基板８０に搭載された表示制御用マイクロコンピュータ８１には、指令情報の一例となるコマンドが送信される。
【００７２】
遊技制御用マイクロコンピュータ５３から賞球基板３７に搭載されたマイクロコンピュータに伝送されるコマンドには、賞球の払出制御に関する指令情報としてのコマンドと、貸玉の払出制御に関する指令情報としてのコマンド（たとえば、玉貸し禁止コマンド、玉貸し禁止解除コマンド等）とが含まれる。
【００７３】
遊技制御用マイクロコンピュータ５３は、大当りあるいは入賞等の発生に基づき所定の音声制御コマンドを音声制御基板７０に搭載されたマイクロコンピュータへ出力する。音声制御基板７０に搭載されたマイクロコンピュータでは、音声制御コマンドに基づいて所定の効果音をスピーカ２７から出力させる制御が行なわれる。
【００７４】
遊技制御用マイクロコンピュータ５３は、大当りあるいは入賞等の発生に基づき、所定のランプ制御コマンドをランプ制御基板３５に搭載されたマイクロコンピュータへ出力する。ランプ制御基板３５に搭載されたマイクロコンピュータでは、ランプ制御コマンドに基づく上記電気的装飾部品の点灯制御が行なわれる。
【００７５】
搭載された遊技制御用マイクロコンピュータ５３は、入賞球検出スイッチ９９の検出信号と始動口スイッチ１７の検出信号、Ｖカウントスイッチ２２の検出信号、カウントスイッチ２３の検出信号に基づいて所定個数の景品玉を払出すための賞球信号を賞球基板３７に搭載されたマイクロコンピュータに出力する。賞球基板３７に搭載されたマイクロコンピュータでは、その出力されてきた賞球信号に基づいて球払出装置を制御して所定個数の景品玉を払出すための制御を行なう。具体的には、特別可変入賞球装置１９の大入賞口に入賞した入賞玉については１個の入賞玉につきたとえば１５個の景品玉が払出され、始動入賞口１４に入賞した入賞玉については１個の入賞玉につきたとえば６個の景品玉が払出され、その他の入賞口２４に入賞した入賞玉については入賞玉１個につきたとえば１０個の景品玉が払出されるように制御される。
【００７６】
このような３種類の個数の景品玉を払出制御するべく、遊技制御用マイクロコンピュータ５３は、次のような制御動作を行なう。始動口スイッチ１７、Ｖカウントスイッチ２２またはカウントスイッチ２３からの検出信号が入力されると、その検出信号を賞球の払出個数決定の際に用いる払出個数決定用データとして、スイッチに応じた賞球の払出個数別に一時的に内部に記憶する。その後、入賞球検出スイッチ９９からの検出信号が入力されれば、その入力以前に始動口スイッチ１７からの検出信号があったかどうかを払出個数決定用データを参照することによって判断し、あったときには遊技制御基板３１に搭載された遊技制御用マイクロコンピュータ５３は賞球基板３７に搭載されたマイクロコンピュータに対し「６」の賞球個数を払出指令するための賞球指令信号を出力する。一方、入賞球検出スイッチ９９からの検出信号があったときに、それ以前にＶカウントスイッチ２２またはカウントスイッチ２３からの検出信号があったときには、遊技制御基板３１に搭載された遊技制御用マイクロコンピュータ５３は、「１５」の賞球個数の賞球指令信号を賞球基板３７に搭載されたマイクロコンピュータに出力する。さらに、入賞球検出スイッチ９９からの検出信号があったときにおいて、それ以前に始動口スイッチ１７、Ｖカウントスイッチ２２、カウントスイッチ２３のいずれからも検出信号が入力されていなかったときには、遊技制御用マイクロコンピュータ５３は、「１０」の賞球個数を払出し指令するための賞球指令信号を賞球基板３７に搭載されたマイクロコンピュータに出力する。
【００７７】
遊技制御基板３１に搭載された遊技制御用マイクロコンピュータ５３から賞球基板３７に搭載された払出制御用マイクロコンピュータに送られた賞球個数信号により払出制御用マイクロコンピュータは、球払出装置９７を駆動して賞球個数信号により特定される個数の賞球を払出す制御を行なう。
【００７８】
図３は、特別図柄表示部９の表示画面を示す画面図である。この図３では、大当り発生に対する信頼度が変化する特定変動パターンとしてのノーマルリーチＡが表示された状態を示している。なお、大当り発生の信頼度が変化する特定変動パターンのリーチとしては、ノーマルリーチＡのほかに、ノーマルリーチＢがある。
【００７９】
まず、図３の（ａ）で示されるように、左図柄と右図柄とが停止した段階で「７  ７」が揃い、リーチが発生して変動表示中の中図柄がノーマルリーチＡの態様で変動表示制御される。そして、図３（ｂ）に示すように、中図柄が「４」で停止する。このノーマルリーチＡの１回目の実行時においては、ノーマルリーチＡの大当り発生に対する信頼度が２％となっている。
【００８０】
次に図３（ｃ）に示すように、左図柄と右図柄が停止して「７  ７」のリーチが発生して、中図柄に対してノーマルリーチＡの態様で変動表示が行なわれる。この２回目のノーマルリーチＡの実行時においては、ノーマルリーチＡの大当り発生に対する信頼度が１５％となっており、特別図柄表示部９の表示画面中に「リーチＡ確率ＵＰ中！！」の表示がなされる。次に中図柄が「１」で停止してはずれが確定した段階で、特別図柄表示部９の表示画面中に「残念！！」が表示される。
【００８１】
次に、図３（ｅ）に示すように、左図柄と右図柄とが停止した段階で「７  ７」のリーチが成立して中図柄についてノーマルリーチＡの態様で変動表示が実行された３回目のノーマルリーチＡの実行時においては、ノーマルリーチＡの大当り発生に対する信頼度が６０％となっている。この状態で、特別図柄表示部９の表示画面中に「リーチＡ確率ＵＰ中！！」の表示がなされる。次に（ｆ）に示すように、中図柄が「８」で停止表示された段階で、「次はアツイよ！！」の表示がなされる。
【００８２】
図３（ｇ）では、左図柄と右図柄とが停止して「７  ７」のリーチが発生して４回目のノーマルリーチＡが実行された状態が示されている。この４回目の実行時においては、ノーマルリーチＡの大当り発生に対する信頼度が１００％となっている。このとき、特別図柄表示部９の表示画面中に「リーチＡ確率ＵＰ中！！」の表示がなされる。そして中図柄が「７」で停止して「７７７」の当り図柄の組合せが表示され、大当りが発生するとともに表示画面中に「大当り！！」の表示がなされる。
【００８３】
このように、本実施の形態においては、特定変動パターンとしてのノーマルリーチＡとノーマルリーチＢとが定められており、それらのリーチが実行される毎に実行されたノーマルリーチＡまたはＢの大当り発生に対する信頼度が向上するように制御される。
【００８４】
図４（ａ）は、ノーマルリーチＡとノーマルリーチＢとの大当り発生に対する信頼度を示したものである。ノーマルリーチＡが実行された回数を計数するリーチＡカウンタとノーマルリーチＢが実行された回数を計数するリーチＢカウンタとの２つのカウンタが設けられており、そのカウンタのカウント値が「０」から「３」まで変化する。ノーマルリーチＡの１回目の実行時においてはリーチＡカウンタの値は「０」となっており、そのときのノーマルリーチＡの大当り発生に対する信頼度は２％となっている。ノーマルリーチＡの２回目の実行時においてはリーチＡカウンタの値が「１」となっており、そのときのノーマルリーチＡの大当り発生に対する信頼度が１５％となっている。ノーマルリーチＡの３回目の実行時においてはリーチＡカウンタのカウント値が「２」となっており、そのときのノーマルリーチＡの大当り発生に対する信頼度が６０％となっている。ノーマルリーチＡの４回目の実行時においてはリーチＡカウンタのカウント値が「３」となっており、そのときのノーマルリーチＡの大当り発生に対する信頼度が１００％となっている。
【００８５】
ノーマルリーチＢの１回目の実行時においてはリーチＢのカウント値が「０」となっており、そのときのノーマルリーチＢの大当り発生に対する信頼度が１０％となっている。ノーマルリーチＢの２回目の実行時においては、リーチＢのカウント値が「１」となっており、そのときのノーマルリーチＢの大当り発生に対する信頼度は１３％となっている。ノーマルリーチＢの３回目の実行時においてはリーチＢカウンタのカウント値が「２」となっており、そのときのノーマルリーチＢの大当り発生に対する信頼度は２０％となる。ノーマルリーチＢの４回目の実行時においてはリーチＢカウンタのカウント値が「３」となっており、そのときのノーマルリーチＢの大当り発生に対する信頼度は３０％となる。
【００８６】
図４（ｂ）は、前述した基本回路５３に設けられているＲＯＭ５４に記憶されている変動パターンテーブルを示している。この変動パターンテーブルは、乱数を抽出してその乱数値に基づいてテーブルルックアップされ、どの種類のリーチを実行するかを選択決定するために用いられるテーブルである。そして、この変動パターンテーブルは、（０−０）、（０−１）、（０−２）、…（３−３）の、１６種類用意されている。リーチＡカウンタの値とリーチＢカウンタの値とがともに０の場合にルックアップされる変動パターンテーブルが（０−０）であり、リーチＡカウンタの値が０でリーチＢカウンタの値が１のときにルックアップされる変動パターンテーブルが（０−１）であり、また、たとえばリーチＡカウンタの値が２でリーチＢカウンタの値が３のときにルックアップされる変動パターンテーブルは（２−３）の変動パターンテーブルである。
【００８７】
そして、たとえば、リーチＡカウンタの値が２でリーチＢカウンタの値も２のときにルックアップされる変動パターンテーブル（２−２）の場合には、その変動パターンテーブル（２−２）をルックアップすることにより、図４（ａ）で説明したようにノーマルリーチＡが実行されたときの大当り発生に対する信頼度が６０％となり、ノーマルリーチＢが実行されたときの大当り発生に対する信頼度が２０％となるように、テーブルデータが定められている。
【００８８】
なお、信頼度は、
ノーマルリーチＡの大当り発生に対する信頼度＝大当り時におけるノーマルリーチＡの出現率／（大当り時におけるノーマルリーチＡの出現率＋はずれ時におけるノーマルリーチＡの出現率）
という式により、信頼度が算出される。
【００８９】
図５、図６は、変動パターンテーブルの具体例を示す図である。図５（ａ）は、変動パターンテーブル（０−０）すなわちリーチＡカウンタとリーチＢカウンタとがともに「０」の値のときにルックアップされるテーブルを示している。このテーブルの一番上の行の一番左の「ＥＸＴ」は、基本回路５３から表示制御基板８０へ送信されるコマンドデータのうちの詳細データ部分を示している。コマンドデータは、ＭＯＤデータとＥＸＴデータとからなり、ＭＯＤデータ部分により、たとえば、表示制御基板８０用のデータや払出制御基板３７用のデータ等の大まかな内容を定め、ＥＸＴデータ部分により、たとえば今回実行すべきリーチの種類等の変動パターンの種類を特定するように構成されている。
【００９０】
「時間」は、当該変動パターン（リーチ）が選択された場合にそのリーチの実行要する時間を示している。「変動パターン番号」は、リーチの種類に付された番号である。「変動パターン」は、変動パターン（リーチ）の種類の名前を示している。「大当り用テーブル」は、大当りを発生させることが事前決定されている場合にルックアップされるテーブル部分である。「リーチはずれ用テーブル」は、リーチは発生するが大当りが発生しないことが事前決定されているときにルックアップされるテーブル部分である。「はずれ用テーブル」は、リーチが発生することなくかつ大当りも発生しないことが事前決定されている場合にルックアップされるテーブル部分である。
【００９１】
そして、この大当り用テーブル、リーチはずれ用テーブル、はずれ用テーブルの各列に示された数字は、０〜２４９の間の数値をカウントする変動パターン決定用乱数カウンタの抽出値が参照される数値である。たとえば、大当りの発生が事前決定されている場合において、変動パターン決定用乱数カウンタから抽出された抽出値が「５０」であった場合には、その「５０」に基づいて大当り用テーブルをルックアップして、その「５０」が属する領域である４０〜７９が選択されることとなり、この４０〜７９に該当する「ノーマルリーチＢ（大当り）」が選択されて実行されることとなる。
【００９２】
なお、以上説明したテーブルデータの構成は、（０−０）のテーブル以外の（０−１）〜（３−３）の各テーブルにおいても、同じ構成となっている。ただし、大当り用テーブル、リーチはずれ用テーブル、はずれ用テーブルの各列における領域を示す数値は、それぞれ異なるように構成されている。
【００９３】
（０−０）の変動パターンテーブルの場合における、ノーマルリーチＡの大当り発生に対する信頼度を、前述した信頼度の式を用いて算出してみる。その際、大当りの発生確率は、計算上１／２００とし、はずれが事前決定されている場合のリーチの発生確率を、１／１０として、計算する。
【００９４】
【数１】
2004344552.tif 000003
【００９５】
また、ノーマルリーチＢも同様に算出してみると、
【００９６】
【数２】
2004344552.tif 000004
【００９７】
となる。よって、図４（ａ）を参照して、リーチＡカウンタとリーチＢカウンタとがともに「０」のときの、ノーマルリーチＡの信頼度が「２％」、ノーマルリーチＢの信頼度が「１０％」と、一致する。
【００９８】
図５（ｂ）は、リーチＡカウンタの値が「１」でリーチＢカウンタの値が「０」のときにルックアップされる変動パターンテーブル（１−０）を示している。変動パターンテーブル（０−０）に比べて、ノーマルリーチＡが２回発生して信頼度の確率がその分アップするために、ノーマルリーチＡ（はずれ）の出現率が低くなるようにテーブルデータを設定するとともに、ノーマルリーチＡ（大当り）の出現率が高くなるようにテーブルデータが設定されている。一方、ノーマルリーチＢの出現率については、はずれおよび大当りともに変動パターンテーブル（０−０）と同じである。
【００９９】
この変動パターンテーブル（１−０）の場合のノーマルリーチＡの大当り発生に対する信頼度は、
【０１００】
【数３】
2004344552.tif 000005
【０１０１】
となり、図４（ａ）の「１５％」と一致する。
図５（ｃ）は、リーチＡカウンタのカウント値が「２」でリーチＢカウンタのカウント値が「１」のときにルックアップする変動パターンテーブル（２−１）を示している。この場合のノーマルリーチＡの大当り発生に対する信頼度は、
【０１０２】
【数４】
2004344552.tif 000006
【０１０３】
となる。また、ノーマルリーチＢの大当り発生に対する信頼度は、
【０１０４】
【数５】
2004344552.tif 000007
【０１０５】
となる。
その結果、図４（ａ）に示す、ノーマルリーチＡの信頼度「６０％」と、ノーマルリーチＢの信頼度「１３％」と、一致する。
【０１０６】
なお、本発明は、大当り発生確率が１／２００には限定されず、たとえば１／２５０、あるいは１／３００等であってもよく、また、はずれが事前決定されているときのリーチの発生確率は、１／１０に限らず、たとえば１／１５あるいは１／２０等であってもよい。
【０１０７】
さらに、図５に示した各種変動パターンテーブルは、特定変動パターンであるノーマルリーチＡあるいはノーマルリーチＢが発生する毎に、その発生したノーマルリーチＡあるいはノーマルリーチＢにおける出現率を、大当り用テーブルおよびリーチはずれ用テーブルのいずれにおいても変更する具体例を示した。しかし、本発明はそれに限らず、たとえば大当り用テーブルのみを変更して大当りが事前決定されているときの出現率のみを変更させたり、あるいはリーチはずれ用テーブルのデータのみを変更してはずれが事前決定されているときの出現率のみを変更するように構成してもよい。
【０１０８】
図６（ａ）の変動パターンテーブルは、前述の（１−０）の変動パターンテーブルの変形例であり、前述した大当り用テーブルのデータのみを変更して大当りが事前決定されているときの出現率のみを変更した例である。
【０１０９】
この変動パターンテーブル（１−０）の場合のノーマルリーチＡの大当り発生に対する信頼度は、
【０１１０】
【数６】
2004344552.tif 000008
【０１１１】
となり、この図６（ａ）の変動パターンテーブルの場合にも、ノーマルリーチＡの大当り発生に対する信頼度は、「１５％」、ノーマルリーチＢの大当り発生に対する信頼度は、「１０％」となる。
【０１１２】
図６（ｂ）の変動パターンテーブルは、前述の（１−０）の変動パターンテーブルの変形例であり、前述したリーチはずれ用テーブルのデータのみを変更してはずれが事前決定されているときの出現率のみを変更した例である。
【０１１３】
この変動パターンテーブル（１−０）の場合のノーマルリーチＡの大当り発生に対する信頼度は、
【０１１４】
【数７】
2004344552.tif 000009
【０１１５】
となり、この図６（ｂ）の変動パターンテーブルの場合にも、ノーマルリーチＡの大当り発生に対する信頼度は、「１５％」、ノーマルリーチＢの大当り発生に対する信頼度は、「１０％」となる。
【０１１６】
図７は、変動パターン設定処理のプログラムを示すフローチャートである。まず、ステップＳ（以下単にＳという）１１１により、大当りが発生するか否かの判断がなされる。この判断は、当りはずれ決定用のランダムカウンタ（０〜１９９の範囲内の数値をカウントするもの）のカウント値を抽出し、その抽出値が予め定められた大当り判定値（たとえば「１」）と一致するか否か判定し、一致する場合にＹＥＳの判断がなされ、一致しない場合にＮＯの判断がなされる。
【０１１７】
大当りでないと判断された場合にはＳ１１３へ進み、リーチになるか否かの判断がなされる。この判断は、リーチ発生決定用のランダムカウンタ（たとえば０〜９の範囲内で数値をカウントするもの）のカウント値を抽出して、その抽出値が予め定められた値（たとえば「１」）と一致する場合に、ＹＥＳの判断がなされて、一致しない場合にＮＯの判断がなされる。リーチが発生しない旨の判定がなされたときには、制御がＳ１１５へ進み、はずれ用テーブルを用いて変動パターン選択処理がなされる。このはずれ用テーブルは、たとえば図５や図６に示した各テーブルの最右欄に示された「はずれ用テーブル」のことであり、このはずれ用テーブルをルックアップして変動パターンを決定する処理がなされる。具体的には、０〜２４９の範囲内で数値をカウントする変動パターン決定用ランダムカウンタのカウント値（乱数値）を抽出し、その抽出値に基づいてはずれ用テーブルをルックアップする。各変動パターンテーブルのはずれ用テーブルには、０〜２４９の範囲内のデータが記憶されているために、前述した変動パターン決定用ランダムカウンタからの抽出値は、すべてこの０〜２４９の範囲内に含まれることとなり、その結果、０〜２４９の領域に対応している「通常変動」が選択されて、通常変動が特別図柄表示部９により表示される状態となる。
【０１１８】
一方、Ｓ１１１により大当りが発生する旨の判定がなされたときには、制御がＳ１１２へ進み、大当り用テーブルをルックアップして変動パターンの選択がなされる。これについては、図８（ａ）に基づいて詳細に説明する。
【０１１９】
一方、Ｓ１１３によりリーチが発生することが判定されたときには、制御がＳ１１４へ進み、リーチはずれ用テーブルをルックアップして変動パターン選択の処理がなされる。この処理については、図８（ｂ）に基づいて後述する。
【０１２０】
次に制御がＳ１１６へ進み、選択された変動パターンを変動パターンコマンドにセットして、基本回路５３から表示制御基板８０へ送信する処理がなされる。たとえば、Ｓ１１２またはＳ１１４の処理の結果、ノーマルリーチＢ（はずれ）が選択決定されたときには、それに対応するコマンドのＥＸＴデータである「０３Ｈ」が、表示制御基板８０へ送信されることとなる。
【０１２１】
次に制御がＳ１１７へ進み、カウンタの更新処理がなされる。これについては、図９に基づいて後述する。
【０１２２】
図８（ａ）は、前述したＳ１１２の大当り用テーブルをルックアップしての変動パターン選択処理のサブルーチンプログラムを示すフローチャートである。まずＳ２００により、リーチＡカウンタとリーチＢカウンタとに基づいて変動パターンテーブルを選択する処理がなされる。変動パターンテーブルの選択は、たとえば、リーチＡカウンタが「１」でリーチＢカウンタが「２」のときには、変動パターンテーブル（１−２）の変動パターンテーブルが選択される。
このリーチＡカウンタは、後述するＳ４０３により「１」ずつ加算更新され、Ｓ４０５、Ｓ４１１によりクリアされて「０」となる。
【０１２３】
次にＳ２０１へ進み、変動パターン決定用ランダムカウンタの現時点のカウント値（乱数Ｒ）を抽出する処理がなされる。そしてＳ２０２により、その抽出した乱数Ｒに基づいて大当り用テーブル（図５、図６参照）をルックアップし、その乱数Ｒが属する領域に対応する変動パターン（リーチの種類）を選択する処理が、Ｓ２０３によりなされる。そして、この選択決定された変動パターンに対応するコマンドデータのＥＸＴは、前述したように、基本回路５３から表示制御基板８０へ送信され、それに対応するリーチ演出動作が、表示制御基板８０により実行される。
【０１２４】
図８（ｂ）は、前述したＳ１１４に示されたリーチはずれ用テーブルをルックアップしての変動パターン選択処理のサブルーチンプログラムを示すフローチャートである。まずＳ３００により、リーチＡカウンタとリーチＢカウンタとに基づいて変動パターンテーブルを選択する処理がなされる。たとえば、リーチＡカウンタの値が「１」であり、リーチＢカウンタの値が「２」のときには、各種変動パターンテーブルの中から変動パターンテーブル（２−１）が選択されることとなる。次にＳ３０１へ進み、変動パターン決定用ランダムカウンタの現時点のカウント値（乱数Ｒ）を抽出する処理がなされる。次にＳ３０２へ進み、Ｓ３００で選択された変動パターンテーブルにおける「はずれ用テーブル」を、抽出した乱数Ｒに基づいてルックアップする処理がなされる。そしてその抽出乱数Ｒが属する領域に対応した変動パターンの選択が、Ｓ３０３によりなされる。
【０１２５】
図９は、前述したＳ１１７に示されたカウンタの更新処理のサブルーチンプログラムを示すフローチャートである。まずＳ３９９により、電源投入時か否かの判断がなされる。パチンコ遊技機の電源が投入されて電源投入時であると判断された場合には、制御がＳ４０１へ進み、リーチＡとＢとの両カウンタの値を「０」に初期設定する処理がなされる。すなわち、両カウンタの初期値が「０」であり、その結果、ノーマルリーチＡの信頼度の初期値が２％となり、ノーマルリーチＢの初期値の信頼度が１０％となる（図４（ａ）参照）。
【０１２６】
一方、電源投入時でない場合には制御がＳ４００へ進み、確変中（時短中）であるか否かの判断がなされる。前述した、大当りの発生確率が向上した確変中でかつ可変表示装置８の可変表示時間（変動表示時間）が通常より短縮された時短中でない場合には、制御がＳ４０１へ進む。一方、確変中（時短中）である場合には、制御がＳ４０２へ進み、ノーマルリーチＡが選択されたか否かの判断がなされる。図８の（ａ）または（ｂ）に基づいて、ノーマルリーチＡが選択されているときには、Ｓ４０２ａへ進み、リーチＡ回数フラグが「１」か否かの判断がなされる。なお、このリーチＡ回数フラグは電源投入時には０である。Ｓ４０２ａにより、リーチＡ回数フラグが「１」でないと判断された場合は、Ｓ４０２ｃにより、リーチＡ回数フラグを「１」にする処理がなされる。一方、Ｓ４０２ａにより、リーチＡ回数フラグが「１」であると判断された場合には、Ｓ４０２ｂへ進み、リーチＡ回数カウンタをクリアして「０」にする処理がなされ、Ｓ４０３へ進み、リーチＡカウンタを「１」加算更新する処理がなされ、Ｓ４０４へ進み、リーチＡカウンタが上限（たとえば「３」）以上であるか否かの判断がなされる。上限を超えていないときには、Ｓ４１２により、リーチＡ確率がアップ中であることを特別図柄表示部９により表示する処理がなされる（図３（ｃ）（ｅ）（ｇ）参照）。
【０１２７】
一方、リーチＡカウンタが上限を超えている場合には、制御がＳ４０５へ進み、リーチＡカウンタをクリアして「０」にする処理がなされる。その結果、ノーマルリーチＡの大当り発生に対する信頼度は２％となる（図４（ａ）参照）。
【０１２８】
そして、制御がＳ４１３へ進み、リーチＡ確率が「２％」となった旨を、特別図柄表示部９に表示させる制御がなされる。
【０１２９】
図８（ａ）または（ｂ）により、ノーマルリーチＢを選択することが決定されたときには、Ｓ４０６によりＹＥＳの判断がなされて制御がＳ４０６ａへ進み、リーチＢ回数フラグが「１」か否かの判断がなされる。なお、このリーチＢ回数フラグは電源投入時には０である。Ｓ４０６ａにより、リーチＢ回数フラグが「１」でないと判断された場合は、Ｓ４０６ｃにより、リーチＢ回数フラグを「１」する処理がなされる。一方、Ｓ４０６ａにより、リーチＢ回数フラグが「１」であると判断された場合には、Ｓ４０６ｂへ進み、リーチＢ回数カウンタをクリアして「０」にする処理がなされ、Ｓ４０７へ進み、リーチＢカウンタを「１」加算更新する処理がなされる。次にＳ４０８へ進み、リーチＢカウンタが上限（たとえば「３」）を超えているか否かの判断がなされる。超えていない場合にＳ４１４へ進み、リーチＢの確率がアップ中である旨を特別図柄表示部９により表示させる制御がなされる。一方、リーチＢカウンタのカウント値が上限を超えている場合には、Ｓ４０９へ進み、リーチＢカウンタをクリアして「０」にする処理がなされる。その結果、ノーマルリーチＢの大当り発生に対する信頼度は１０％となる（図４（ａ）参照）。
【０１３０】
そして、Ｓ４１５により、リーチＢ確率が「１０％」となった旨を特別図柄表示部９により表示させる制御がなされる。
【０１３１】
図８の（ａ）または（ｂ）により、ノーマルリーチＣが選択されたときには、Ｓ４１０によりＹＥＳの判断がなされて制御がＳ４１１へ進み、リーチＡとリーチＢとの両カウンタをクリアして「０」にする処理がなされる。次にＳ４１６へ進み、リーチＡ確率が「２％」で、リーチＢ確率が「１０％」である旨を特別図柄表示部９により表示させる制御がなされる。
【０１３２】
次に、以上説明した本実施の形態における変形例や特徴点等を以下に列挙する。
【０１３３】
（１）  図９に示した本実施の形態においては、確変中（時短中）というある限られた期間中においてのみ、ノーマルリーチＡあるいはノーマルリーチＢそれぞれのリーチカウンタをカウントアップして、それらのリーチの大当り発生に対する信頼度を向上させるように制御したが、確変中（時短中）というある限られた期間に限らず、遊技中においてはいつでもノーマルリーチＡあるいはノーマルリーチＢの大当り発生に対する信頼度を変動させるように制御してもよい。また、本実施の形態においては、ノーマルリーチＣが選択されて表示されることにより、リーチＡとリーチＢの両カウンタがクリアされて、ノーマルリーチＡおよびノーマルリーチＢの大当り発生に対する信頼度が初期値（２％，１０％）に戻るものを示したが、本発明はこれに限らず、ノーマルリーチＣが選択されて表示されることにより、現在のノーマルリーチＡ、ノーマルリーチＢの信頼度を１つ下の信頼度に低下させるようにしてもよい。たとえば、ノーマルリーチＡの現時点の信頼度が６０％でノーマルリーチＢの現時点の信頼度が２０％のとき、ノーマルリーチＣが表示されれば、ノーマルリーチＡの信頼度が１５％となり、ノーマルリーチＢの信頼度が１３％となるように制御してもよい。さらに、ノーマルリーチＣが選択されて表示されたとしても、ノーマルリーチＡとノーマルリーチＢとの信頼度は何ら変化しないように構成してもよい。
【０１３４】
（２）  前述した基本回路５３により、遊技機の遊技状態を制御する遊技制御手段が構成されている。この遊技制御手段は、変動表示装置を表示制御するための指令情報（コマンドデータ）を出力する。表示制御基板８０により、各々が識別可能な複数種類の識別情報の変動表示を行ない、識別情報の組合せ結果である表示結果を導出表示する変動表示装置を表示制御する変動表示制御手段が構成されている。この変動表示制御手段は、前記遊技制御手段から出力されてきた制御指令（コマンドデータ）に基づいて、前記変動表示装置を表示制御する。前述したリーチＡカウンタ，リーチＢカウンタにより、変動パターン判定手段により前記特定変動パターンであることの判定を行なった回数を計数する特定変動パターン回数計数手段が構成されている。この特定変動パターン回数計数手段により計数された回数が所定回数（本実施の形態では２回）になっているときには該所定回数（２回）になっていないときに比べて、前述したように、当該所定回数となっている特定変動パターン（ノーマルリーチＡまたはノーマルリーチＢ）の特定遊技状態発生に対する信頼度を向上させる制御が行なわれる。
【０１３５】
なお、この「所定回数」は、本実施の形態では２回のものを示したが、本発明はこれに限らず、たとえば１回あるいは３回以上の予め定められた回数であってもよい。すなわち、リーチＡカウンタのカウント値（または、リーチＢカウンタのカウント値）は、ノーマルリーチＡ（または、ノーマルリーチＢ）が、２回選択されれば、１加算させるようにしたが、これに限らず、ノーマルリーチＡ（ノーマルリーチＢ）について、１回または３回以上選択されれば、リーチＡカウンタのカウント値（リーチＢのカウント値）を１加算させてもよい。
【０１３６】
（３）  図９に示した本実施の形態においては、ノーマルリーチＡまたはノーマルリーチＢが選択されると、それぞれのリーチカウンタのカウント値を「１」カウントアップさせたが、これに限らず、たとえば、変動パターン選択（大当り用テーブル）によりノーマルリーチＡ（大当り）またはノーマルリーチＢ（大当り）が選択されたときにはリーチカウンタのカウント値を「３」カウントアップさせ、変動パターン選択（リーチはずれ用テーブル）によりノーマルリーチＡ（はずれ）またはノーマルリーチＢ（はずれ）が選択されたときにはリーチカウンタのカウント値を「１」カウントアップさせてもよい。すなわち、変動パターン選択（大当り用テーブル）によりノーマルリーチＡ（大当り）またはノーマルリーチＢ（大当り）が選択されたときと、変動パターン選択（リーチはずれ用テーブル）によりノーマルリーチＡ（はずれ）またはノーマルリーチＢ（はずれ）が選択されたときの、リーチカウンタのカウント値のアップ率を変えてもよい。また、その際、本実施の形態では図４（ａ）に示したようにノーマルリーチＡが実行された回数を計数するリーチＡカウンタとノーマルリーチＢが実行された回数を計数するリーチＢカウンタのカウント値を「０」から「３」まで変化させたが、これに限らず、たとえば、リーチＡカウンタ、リーチＢカウンタのカウント値を「０」から「２０」まで変化させ、ノーマルリーチＡおよびノーマルリーチＢの大当り発生に対する信頼度を細分化させてもよい。
【０１３７】
（４）  本実施の形態では、図９のＳ４０３よりリーチＡカウンタのカウント値、またＳ４０７よりリーチＢカウンタのカウント値が「１」加算され、その後、次回の変動パターン設定処理の変動パターン処理（Ｓ１１２，Ｓ１１４）により、加算後のリーチＡカウンタのカウント値、リーチＢカウンタのカウント値に基づいた変動パターンテーブルを選択させる（図８のＳ２００，Ｓ３００参照）ものであるが、これに限らず、Ｓ４０３よりリーチＡカウンタのカウント値、またＳ４０７よりリーチＢカウンタのカウント値が「１」加算された後に、Ｓ４０３またはＳ４０７により、加算後のリーチＡカウンタのカウント値またはリーチＢカウンタのカウント値に基づいた変動パターンテーブルを選択させてもよい。
【０１３８】
（５）  特定変動パターンをノーマルリーチとしたときに、たとえばノーマルリーチＡが出現すればノーマルリーチ全体の信頼度が向上するように制御してもよい。
【０１３９】
また、本実施の形態では、出現することにより信頼度が向上する特定変動パターンの具体例としてノーマルリーチＡやノーマルリーチＢ等のリーチ態様のものを示したが、本発明はこれに限らず、可変表示装置で表示される背景の色やキャラクタや変動時間等の態様を特定変動パターンの具体例としてもよい。たとえば、普段の通常変動時には赤色の背景を表示する可変表示装置において、青色の背景表示がなされればその表示回数の増加に応じて大当りに対する信頼度を向上させてもよい。また、普段の通常変動時には変動表示時間が１０秒である可変表示装置において、２０秒間の変動表示がなされればその変動表示回数の増加に応じて大当りに対する信頼度を向上させてもよい。また、普段の通常変動時にはキャラクタを表示しない（または所定のキャラクタしか表示しない）可変表示装置において、キャラクタが表示されれば（または所定のキャラクタとは別の特定キャラクタが表示されれば）その表示回数の増加に応じて大当りに対する信頼度を向上させてもよい。
【０１４０】
（６）  なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【図面の簡単な説明】
【図１】遊技機の一例のパチンコ遊技機の遊技盤面を示す正面図である。
【図２】パチンコ遊技機に用いられる制御回路を示すブロック図である。
【図３】特別図柄表示部の表示画面を示す画面図である。
【図４】（ａ）はノーマルリーチＡとノーマルリーチＢとの大当り発生に対する信頼度の変化の種類の表を示した図であり、（ｂ）は、ＲＯＭに記憶されている各種変動パターンテーブルを示す図である。
【図５】変動パターンテーブルを示す図である。
【図６】変動パターンテーブルの変形例を示す図である。
【図７】変動パターン設定処理のプログラムを示すフローチャートである。
【図８】変動パターン選択処理のサブルーチンプログラムを示すフローチャートである。
【図９】カウンタ更新処理のサブルーチンプログラムを示すフローチャートである。
【符号の説明】
１  パチンコ遊技機、８  可変表示装置、９  特別図柄表示部、９ａ  導出結果表示領域、１０  普通図柄表示器、１１  通過口、１２  ゲートスイッチ、１３  通過記憶表示器、１４  始動口、１７  始動口スイッチ、１８  始動記憶表示器、１９  可変入賞球装置、２２  Ｖカウントスイッチ、２３  カウントスイッチ、５３  遊技制御用マイクロコンピュータ、８１  表示制御用マイクロコンピュータ。
【図１】
2004344552.tif 000010
【図２】
2004344552.tif 000011
【図３】
2004344552.tif 000012
【図４】
2004344552.tif 000013
【図５】
2004344552.tif 000014
【図６】
2004344552.tif 000015
【図７】
2004344552.tif 000016
【図８】
2004344552.tif 000017
【図９】
2004344552.tif 000018